(57)【要約】【課題】リモコンシステムにおいて、電気機器の遠隔制御時におけるリモコン操作の手間を減らす。【解決手段】リモコンシステム１は、電気機器１０を遠隔制御するリモコン２と、部屋別に設置され、その部屋の部屋ＩＤ情報をリモコン２に送信する送信装置３とを備える。このリモコン２において、制御部は、使用者Ｕによるリモコン２の使用時に情報生成部により生成された使用者ＩＤ情報と記憶部に記憶されている使用者ＩＤ情報とを、受信部による部屋ＩＤ情報の受信をトリガとして照合する。さらに上記制御部は、照合の結果一致した使用者ＩＤ情報と受信部により受信された部屋ＩＤ情報との組み合わせに応じて電気機器１０を選択し、送信部によりその電気機器１０に制御信号を送信する。このように、リモコン２は電気機器１０を自動で遠隔制御するため、電気機器１０の遠隔制御時におけるリモコン２操作の手間を減らすことができる。【選択図】図１
2008206089.tif 000002
【特許請求の範囲】
【請求項１】
制御対象の電気機器に制御信号を送信するリモートコントローラを備えたリモコンシステムにおいて、
部屋別に設置され、その部屋の部屋ＩＤ情報を記憶し、該部屋ＩＤ情報を前記リモートコントローラに送信する送信装置を備え、
前記リモートコントローラは、
該リモートコントローラを使用する使用者の使用者ＩＤ情報を生成する情報生成部と、
使用者ＩＤ情報を予め記憶している記憶部と、
前記送信装置により送信された部屋ＩＤ情報を受信する受信部と、
使用者による該リモートコントローラの使用時に前記情報生成部により生成された使用者ＩＤ情報と前記記憶部に記憶されている使用者ＩＤ情報とを、前記受信部による部屋ＩＤ情報の受信をトリガとして照合し、これらが一致する場合、該一致する使用者ＩＤ情報と該受信部により受信された部屋ＩＤ情報との組み合わせに応じて制御対象の電気機器を選択する制御部と、
前記制御部により選択された電気機器に制御信号を送信する送信部と、を有することを特徴とするリモコンシステム。
【請求項２】
前記リモートコントローラは、制御対象の電気機器選択のため使用者により操作される操作部を有し、
前記記憶部は、前記使用者ＩＤ情報及び部屋ＩＤ情報の組み合わせごとで且つ前記操作部の操作内容別に制御対象の電気機器が予め設定された制御テーブルを記憶し、
前記制御部は、使用者による前記操作部の操作をトリガとして、前記一致する使用者ＩＤ情報と、前記受信部により受信された部屋ＩＤ情報と、前記操作部の操作内容との組み合わせに応じて、制御対象の電気機器を前記制御テーブルで設定されている電気機器の中から選択することを特徴とする請求項１に記載のリモコンシステム。
【請求項３】
前記記憶部は、前記使用者ＩＤ情報及び部屋ＩＤ情報の組み合わせごとに、前記操作部の操作内容別の操作頻度を前記制御テーブルに記憶し、
前記制御部は、前記受信部による部屋ＩＤ情報の受信をトリガとして、前記一致する使用者ＩＤ情報と、前記受信部により受信された部屋ＩＤ情報と、前記操作頻度の高さとの組み合わせに応じて、制御対象の電気機器を前記制御テーブルで設定されている電気機器の中から選択することを特徴とする請求項２に記載のリモコンシステム。
【発明の詳細な説明】
【技術分野】
【０００１】
本発明は、制御対象の電気機器に制御信号を送信するリモートコントローラを備えたリモコンシステムに関する。
【背景技術】
【０００２】
従来から、リモートコントローラと同様に、個人が宅内で所持する個人認証用カードと、各部屋に設置され、上記カードに赤外線信号を送信する送信装置と、この赤外線信号を検知した個人認証用カードが送信した検知信号を受信し、この検知信号に基づいて上記カードの所持者の居場所を認識し、その場所の電気機器を制御する親機とを備えた制御システムが知られている（例えば、特許文献１参照）。
【０００３】
また、個人が携帯するＲＦＩＤ（Ｒａｄｉｏ  Ｆｒｅｑｕｅｎｃｙ  Ｉｄｅｎｔｉｆｉｃａｔｉｏｎ）と、このＲＦＩＤの情報を読み取るリーダを搭載した通信制御器とを備えたＲＦＩＤシステムが知られている（例えば、特許文献２参照）。このＲＦＩＤシステムにおいて、通信制御器は、建物の内部等に設置されており、ＲＦＩＤの情報に基づいて各種電気機器を制御する。ＲＦＩＤには、制御対象の電気機器を選択するため使用者により押下げられるスイッチが設けられている。使用者が電気機器選択のためそのスイッチを押下げたとき、通信制御器はＲＦＩＤにおけるスイッチの押下を検知し、スイッチの押下が検知されたＲＦＩＤの個人ＩＤを読み取る。さらに、通信制御部は、使用者により選択された電気機器を判断し、読み取った個人ＩＤに基づいてその使用者に最適なパラメータを決定し、そのデータを制御対象の電気機器に送信する。
【０００４】
しかしながら、特許文献１に記載の技術において、個人が所持するカードは、親機が個人別に電気機器を制御する際に、個人を認証するためのものであり、このカード自身が電気機器を制御するため電気機器に制御信号を送信することはない。また、特許文献２に記載の技術において、制御対象の電気機器を選択するためには、ＲＦＩＤのスイッチの押下げ操作が必要となる。このため、電気機器の遠隔制御時におけるＲＦＩＤの操作に手間がかかる。
【特許文献１】特開２００６−３４５１３９号公報
【特許文献２】特開２００６−６０４７１号公報
【発明の開示】
【発明が解決しようとする課題】
【０００５】
本発明は、上記の従来の問題を解決するためになされたものであり、電気機器の遠隔制御時におけるリモートコントローラ操作の手間を減らすことができるリモコンシステムを提供することを目的とする。
【課題を解決するための手段】
【０００６】
上記目的を達成するために請求項１の発明は、制御対象の電気機器に制御信号を送信するリモートコントローラを備えたリモコンシステムにおいて、部屋別に設置され、その部屋の部屋ＩＤ情報を記憶し、該部屋ＩＤ情報を前記リモートコントローラに送信する送信装置を備え、前記リモートコントローラは、該リモートコントローラを使用する使用者の使用者ＩＤ情報を生成する情報生成部と、使用者ＩＤ情報を予め記憶している記憶部と、前記送信装置により送信された部屋ＩＤ情報を受信する受信部と、使用者による該リモートコントローラの使用時に前記情報生成部により生成された使用者ＩＤ情報と前記記憶部に記憶されている使用者ＩＤ情報とを、前記受信部による部屋ＩＤ情報の受信をトリガとして照合し、これらが一致する場合、該一致する使用者ＩＤ情報と該受信部により受信された部屋ＩＤ情報との組み合わせに応じて制御対象の電気機器を選択する制御部と、前記制御部により選択された電気機器に制御信号を送信する送信部と、を有するものである。
【０００７】
請求項２の発明は、請求項１に記載のリモコンシステムにおいて、前記リモートコントローラは、制御対象の電気機器選択のため使用者により操作される操作部を有し、前記記憶部は、前記使用者ＩＤ情報及び部屋ＩＤ情報の組み合わせごとで且つ前記操作部の操作内容別に制御対象の電気機器が予め設定された制御テーブルを記憶し、前記制御部は、使用者による前記操作部の操作をトリガとして、前記一致する使用者ＩＤ情報と、前記受信部により受信された部屋ＩＤ情報と、前記操作部の操作内容との組み合わせに応じて、制御対象の電気機器を前記制御テーブルで設定されている電気機器の中から選択するものである。
【０００８】
請求項３の発明は、請求項２に記載のリモコンシステムにおいて、前記記憶部は、前記使用者ＩＤ情報及び部屋ＩＤ情報の組み合わせごとに、前記操作部の操作内容別の操作頻度を前記制御テーブルに記憶し、前記制御部は、前記受信部による部屋ＩＤ情報の受信をトリガとして、前記一致する使用者ＩＤ情報と、前記受信部により受信された部屋ＩＤ情報と、前記操作頻度の高さとの組み合わせに応じて、制御対象の電気機器を前記制御テーブルで設定されている電気機器の中から選択するものである。
【発明の効果】
【０００９】
請求項１の発明によれば、リモートコントローラは、送信装置からの部屋ＩＤ情報の受信をトリガとして、使用者ＩＤ情報と部屋ＩＤ情報との組み合わせに応じて制御対象の電気機器を選択し、その電気機器に制御信号を送信するので、電気機器が自動で遠隔制御されるため、電気機器の遠隔制御時におけるリモートコントローラ操作の手間を減らすことができる。
【００１０】
請求項２の発明によれば、電気機器の自動制御を可能にしつつ、使用者が自身の所望に合わせてリモートコントローラの操作部を操作することにより、自動制御される電気機器とは別の電気機器をさらに遠隔制御できるので、利便性の向上を図ることができる。
【００１１】
請求項３の発明によれば、リモートコントローラは、操作頻度の高い操作内容に対応して制御対象として設定されている電気機器を、送信装置からの部屋ＩＤ情報の受信をトリガとして制御するので、使用者が操作を所望する電気機器が自動で遠隔制御されるため、電気機器の遠隔制御時におけるリモートコントローラ操作の手間を減らすことができる。
【発明を実施するための最良の形態】
【００１２】
以下、本発明の第１の実施形態に係るリモコンシステムについて図１及び図２を参照して説明する。図１及び図２は、本実施形態に係るリモコンシステムの構成を示す。このリモコンシステム１は、例えば住居に導入され、リモートコントローラにより宅内の電気機器が遠隔制御されるシステムである。
【００１３】
リモコンシステム１は、制御対象の電気機器１０に制御信号を送信するリモートコントローラ（以下、リモコンと称す）２と、部屋別に設置され、リモコン２に対してリモコン２の位置を通知する送信装置３とを備える。送信装置３は、例えば、台所、リビングルーム、寝室、風呂、勉強部屋等のそれぞれの室内に設置されている。この送信装置３は、設置された部屋の部屋ＩＤ情報をリモコン２に送信することにより、リモコン２の位置をそのリモコン２に通知する。部屋ＩＤ情報の送信は、例えば、赤外線又は電波等を用いた無線通信により行なわれる。リモコン２は、現在の使用者Ｕ及び自身の位置に応じて電気機器１０を遠隔制御する。遠隔制御される電気機器１０の台数は複数である。例えば、電気機器１０には、テレビ１０ａ、エアコン１０ｂ及び照明器具１０ｃ等の家電機器が含まれる。以下、リモコン２及び送信装置３の構成を詳細に説明する。
【００１４】
リモコン２は、複数台の電気機器１０をリモートコントロール可能で、一般にマルチリモコンと呼ばれているリモコンにより構成される。また、リモコン２は、使用者Ｕにより携帯されるものであり、一人に限定されず複数人の使用者Ｕが１台のリモコン２を使用することができる。このリモコン２は、使用者Ｕごとに使用者ＩＤ情報を生成する情報生成部２１と、使用者ＩＤ情報を予め記憶している記憶部２２と、送信装置３により送信された部屋ＩＤ情報を受信する受信部２３と、現在の使用者Ｕの使用者ＩＤ情報と部屋ＩＤ情報とに応じて制御対象の電気機器１０を選択する制御部２４と、制御部２４により選択された電気機器１０に制御信号を送信する送信部２５と、を有する。以下、リモコン２の各部の構成を詳細に説明する。
【００１５】
情報生成部２１は、スイッチ又は指紋認証機器等により構成されている。例えば、情報生成部２１がスイッチにより構成されている場合、使用者Ｕごとに割り当てられたスイッチの押下げ、又は、使用者Ｕごとに決められた、スイッチの押下げ順若しくは長押し時間等の操作内容に応じて、情報生成部２１は操作情報を生成する。この操作情報が使用者ＩＤ情報の基となる。また、情報生成部２１が指紋認証機器により構成されている場合、情報生成部２１は使用者Ｕ別の指紋情報を生成する。この指紋情報が使用者ＩＤ情報の基となる。使用者ＩＤ情報の生成は、使用者Ｕによるリモコン２の使用時に行なわれ、この使用者ＩＤ情報は、情報生成部２１から制御部２４に送出される。
【００１６】
記憶部２２は、ＲＡＭ又はＲＯＭ等のメモリにより構成されている。このメモリは、使用者ＩＤ情報、部屋ＩＤ情報及び制御内容等がテーブル化されて成る制御テーブルＴを記憶している。制御テーブルＴに記憶されている使用者ＩＤ情報は、情報生成部２１が使用者Ｕごとに生成する使用者ＩＤ情報と同じ情報である。
【００１７】
ここで、制御テーブルＴについて図３を参照して説明する。図３は、制御テーブルＴの一例を示す。この制御テーブルＴにおいては、使用者ＩＤ情報、部屋ＩＤ情報及び時間帯の組み合わせごとに、制御内容が対応付けられている。使用者ＩＤ情報、部屋ＩＤ情報及び時間帯は、制御内容を決定する上でのパラメータとなる。上記の制御内容には、制御対象の電気機器１０とその動作内容が含まれている。例えば、使用者ＩＤ情報「Ａ」及び「居間」を示す部屋ＩＤ情報の組み合わせに、制御内容として「テレビ」１０ａの「（電源）ＯＮ」、「エアコン」１０ｂの「（電源）ＯＮ」及び「照明（器具）」１０ｃの「（電源）ＯＮ」が対応付けられている。この制御テーブルＴの内容は、制御部２４により読み出されると共に、書き換え可能である。この書き換えは、例えば、リモコン２に設けられた操作ボタン等（図示せず）又はリモコン２に接続されたパーソナルコンピュータ等の外部機器（図示せず）の操作に応じて行なわれる。以下、図１及び図２を用いた、リモコン２及び送信装置３の構成の説明に戻る。
【００１８】
受信部２３及び送信部２５は、送信装置３との間と、電気機器１０との間で赤外線又は電波等を用いた無線通信を可能にする無線通信回路により構成されている。受信部２３は、送信装置３からの部屋ＩＤ情報を受信し、その部屋ＩＤ情報を制御部２４に送出する。また、送信部２５は、制御部２４からの信号に基づいて、電気機器１０に制御信号を送信する。
【００１９】
制御部２４は、ＣＰＵを搭載したマイクロコンピュータにより構成されている。このマイクロコンピュータは、受信部２３による部屋ＩＤ情報の受信をトリガとして、記憶部２２に記憶されている制御テーブルＴを参照し、情報生成部２１により生成された使用者ＩＤ情報と制御テーブルＴ内の使用者ＩＤ情報とを照合する。さらに、マイクロコンピュータは、照合の結果これらが一致した場合、その一致した使用者ＩＤ情報と受信部２３により受信された部屋ＩＤ情報との組み合わせに応じて、制御内容すなわち制御対象の電気機器１０及びその動作内容を選択する。使用者ＩＤ情報の照合及び制御内容の選択のトリガは、受信部２３による部屋ＩＤ情報の受信に限定されない。例えば、タイマ、スイッチ又は時計等により構成されるトリガ部（図示せず）をリモコン２に設け、部屋ＩＤ情報の受信後にタイマによるタイムカウントを始め、上記照合及び選択のトリガをそのタイムカウントの終了に設定しても構わない。また、部屋ＩＤ情報の受信後の使用者によるスイッチ操作又は時計により計られる時刻を、上記照合及び選択のトリガに設定しても構わない。次に、送信装置３の構成を説明する。
【００２０】
送信装置３は、設置された部屋の部屋ＩＤ情報を記憶する記憶部３１と、部屋ＩＤ情報をリモコン２に送信する送信部３２と、使用者Ｕの入室を検知し、検知信号を生成する人検知部３３と、この検知信号をトリガとして、部屋ＩＤ情報を送信するように送信部３２を制御する制御部３４とを備える。以下、送信装置３の構成を詳細に説明する。
【００２１】
記憶部３１は、ＲＡＭ又はＲＯＭ等のメモリにより構成されており、このメモリが部屋ＩＤ情報を記憶している。この部屋ＩＤ情報は、制御部３４により読み出される。また、部屋ＩＤ情報は、制御部３４による書き換えが可能であってもよい。この書き換えは、例えば、送信装置３に設けられた操作ボタンや操作パネル等（図示せず）又は送信装置３に接続されたパーソナルコンピュータ等の外部機器（図示せず）の操作に応じて行なわれる。
【００２２】
送信部３２は、リモコン２との間で赤外線又は電波等を用いた無線通信を可能にする無線通信回路により構成されている。この送信部３２は、制御部３４からの信号に基づいて、リモコン２に部屋ＩＤ情報を送信する。人検知部３３は、熱線センサ又は超音波センサ等の人感センサにより構成されている。この人感センサは、入室した使用者Ｕを検知したとき、検知信号を制御部３４に送出する。
【００２３】
制御部３４は、ＣＰＵを搭載したマイクロコンピュータにより構成されている。このマイクロコンピュータは、人検知部３３から送出された検知信号をトリガとして、記憶部３１から部屋ＩＤ情報を読み出し、さらに、読み出した部屋ＩＤ情報の送信を指示する信号を送信部３２に出力する。
【００２４】
次に、リモコンシステム１における電気機器１０の遠隔制御動作を説明する。ここで、送信装置３が居間に設置されており、リモコン２を携帯した使用者Ｕが居間に入室したと仮定する。まず、送信装置３において、人検知部３３が使用者Ｕの居間への入室を検知する。制御部３４は、人検知部３３から送信された検知信号をトリガとして、記憶部３１から居間の部屋ＩＤ情報を読み出し、送信部３２はこの部屋ＩＤ情報を制御部３４からの信号に基づいてリモコン２へ送信する（矢印（１）で示す）。
【００２５】
リモコン２において、情報生成部２１は、リモコン２の現在の使用者Ｕの使用者ＩＤ情報を生成する。送信装置３により部屋ＩＤ情報が送信された後、受信部２３は、この部屋ＩＤ情報を受信し、制御部２４に送出する。制御部２４は、受信部２３による部屋ＩＤ情報の受信、すなわち、受信部２３から制御部２４への部屋ＩＤ情報の入力をトリガとして、記憶部２２に記憶されている制御テーブルＴを参照し、情報生成部２１により生成された使用者ＩＤ情報と制御テーブルＴ内の使用者ＩＤ情報とを照合する。これらが一致する場合、制御部２４は、制御テーブルＴに登録された制御内容の中から、上記の一致する使用者ＩＤ情報と受信部２３により受信された部屋ＩＤ情報との組み合わせに応じて、制御内容を制御テーブルＴで設定されている制御内容の中から選択する。また、制御部２４は、電気機器１０への制御信号の送信を送信部２５に指示するため、制御対象として選択された電気機器１０及びその動作内容を示す信号を送信部２５に送出する。
【００２６】
送信部２５は、制御部２４からの上記の信号に基づき、制御対象として選択された電気機器１０に制御信号を送信する（矢印（２）で示す）。例えば、制御部２４により選択された制御内容が、「テレビ」１０ａの「（電源）ＯＮ」、「エアコン」１０ｂの「（電源）ＯＮ」及び「照明（器具）」１０ｃの「（電源）ＯＮ」である場合、送信部２５は、テレビ１０ａ、エアコン１０ｂ及び照明器具１０ｃの順に、電源ＯＮを指示する制御信号を送信する。
【００２７】
リモコン２からの制御信号を受信した電気機器１０は、制御信号に応じて動作する。このようにして、リモコン２は、送信装置３からの部屋ＩＤ情報の受信をトリガとして、使用者ＩＤ情報と部屋ＩＤ情報との組み合わせに応じて制御内容を選択し、制御対象の電気機器１０に制御信号を送信するので、電気機器１０が自動で遠隔制御される。従って、使用者Ｕはリモコン２を携帯しているだけでよいため、電気機器１０の遠隔制御時におけるリモコン２操作の手間を減らすことができる。また、制御テーブルＴ内の制御内容を書き換えるだけで、リモコン２により遠隔制御する電気機器１０の台数やその動作内容の数を増減させることができるので、制御対象やその動作内容の数が増加した場合においても、その制御対象を遠隔制御するための操作ボタン等を増設することは不要である。このため、リモコン２の大きさを一定に保つことができる。従って、リモコン２が大きくなることを防止できる。
【００２８】
次に、リモコンシステム１の変形例について図４及び図５を参照して説明する。図４は本変形例に係るリモコン２の構成を示し、図５は本変形例に係る制御テーブルＴの一例を示す。リモコンシステム１は、第１の実施形態の構成と比べ、使用者ＩＤ情報と部屋ＩＤ情報との組み合わせに時間帯がさらに組み合わされ、これらの組み合わせに応じて制御内容が選択される点で差異がある。このような選択を可能にするため、リモコン２は、第１の実施形態の構成と比べ、時刻を計る計時部２６をさらに有する。また、制御テーブルＴにおいては、第１の実施形態の内容と比べ、制御内容を決定するパラメータの中に時間帯がさらに含まれる。例えば、使用者ＩＤ情報「Ａ」、「居間」を示す部屋ＩＤ情報及び時間帯「６：００−８：００」の組み合わせに、制御内容として「テレビ」１０ａの「（電源）ＯＮ」、「エアコン」１０ｂの「（電源）ＯＮ」及び「照明（器具）」１０ｃの「（電源）ＯＮ」が対応付けられている。
【００２９】
制御部２４は、受信部２３が部屋ＩＤ情報を受信した時刻を、計時部２６からの信号に基づいて認識する。また、制御部２４は、部屋ＩＤ情報の受信をトリガとして、記憶部２２に記憶されている制御テーブルＴを参照し、情報生成部２１により生成された使用者ＩＤ情報と制御テーブルＴ内の使用者ＩＤ情報とを照合する。さらに、制御部２４は、これらが一致する場合、一致する使用者ＩＤ情報と、受信部２３により受信された部屋ＩＤ情報と、計時部２６により示された時刻を含む時間帯との組み合わせに応じて、制御内容を選択する。なお、計時部２６が時刻だけではなく曜日や日付を示し、制御テーブルＴにおいて制御内容を決定するパラメータの中に曜日や日付が含まれ、曜日や日付に応じて制御内容が選択されても構わない。本変形例においては、上記第１の実施形態による効果を得られると共に、時間帯に応じて、自動制御する電気機器１０やその動作内容を設定できるので、利便性のさらなる向上を図ることができる。
【００３０】
次に、本発明の第２の実施形態に係るリモコンシステムについて図６及び図７を参照して説明する。図６は本実施形態に係るリモコン２の構成を示し、図７は本実施形態に係る制御テーブルＴの一例を示す。図６及び図７において第１の実施形態と同一の部材には同一の符号を付す（以下、同様）。本実施形態のリモコンシステム１は、第１の実施形態の構成と比べ、リモコン２が、制御内容選択のためのスイッチ部２７（操作部）をさらに有する点で異なり、さらに、制御テーブルＴにおいて、使用者ＩＤ情報及び部屋ＩＤ情報の組み合わせごとで且つスイッチ部２７の操作内容別に制御内容がさらに予め設定されている点で異なる。
【００３１】
スイッチ部２７は、例えば、３個のスイッチＳＷ２７ａ、２７ｂ、２７ｃにより構成されている。スイッチＳＷの個数は、３個に限定されず、何個でもよい。スイッチ部２７は、制御内容選択のため使用者Ｕにより押下げ操作され、スイッチＳＷ２７ａ、２７ｂ、２７ｃの押下げ操作に応じて操作信号を制御部２４に送出する。
【００３２】
制御テーブルＴにおいては、スイッチ部２７の操作内容別に制御内容が設定されている。具体的には、スイッチＳＷ２７ａ、２７ｂ、２７ｃのそれぞれの押下げ操作に対応して制御内容が設定されている。この制御内容は、使用者ＩＤ情報及び部屋ＩＤ情報の組み合わせごとに設定されており、且つ、第１の実施形態に示されるように部屋ＩＤ情報受信時に制御部２４により自動的に選択される制御内容とは別に設定されている。例えば、使用者ＩＤ情報「Ａ」及び「居間」を示す部屋ＩＤ情報の組み合わせに、スイッチＳＷ２７ａに対応して「照明（器具）」１０ｃの「（調光制御のための）順送り」、スイッチＳＷ２７ｂに対応して「テレビ」１０ａの「（電源）ＯＮ／ＯＦＦ」、またスイッチＳＷ２７ｃに対応して「エアコン」１０ｂの「（電源）ＯＮ／ＯＦＦ」が対応付けられている。また、上記の制御内容は、制御部２４により読み出されると共に、書き換え可能である。この書き換えは、例えば、リモコン２に設けられた操作ボタン等（図示せず）又はリモコン２に接続されたパーソナルコンピュータ等の外部機器（図示せず）の操作に応じて行なわれる。
【００３３】
制御部２４は、使用者ＵによるスイッチＳＷ２７ａ、２７ｂ、２７ｃの押下げ操作、すなわち、スイッチ部２７から送出された操作信号をトリガとし、情報生成部２１により生成された使用者ＩＤ情報と制御テーブルＴ内の使用者ＩＤ情報とを照合する。さらに、制御部２４は、照合の結果これらが一致した場合、その一致した使用者ＩＤ情報と、受信部２３により受信された部屋ＩＤ情報と、スイッチ部２７の操作内容との組み合わせに応じて、制御内容を制御テーブルＴで設定されている制御内容の中から選択する。このような選択は、第１の実施形態に示される制御内容の自動選択、すなわち部屋ＩＤ情報の受信をトリガとする制御内容の選択に加えて実施される。
【００３４】
本実施形態においては、第１の実施形態と同様に、電気機器１０の自動制御により、電気機器１０の遠隔制御時におけるリモコン２の操作の手間を減らすことができる。また、使用者Ｕが自身の所望に合わせてリモコン２のスイッチ部２７を操作することにより、自動制御される電気機器１０やその動作とは別の電気機器１０やその動作をさらに遠隔制御できる。このため、利便性の向上を図ることができる。また、制御テーブルＴ内に、自動制御における制御対象として登録する電気機器１０やその動作内容の数を増やすと共に、上記の利便性の向上を図りつつ、スイッチ部２７のスイッチの個数を減らすことにより、リモコン２の小型化を図ることができる。
【００３５】
次に、本発明の第３の実施形態に係るリモコンシステムについて図８を参照して説明する。図８は、本実施形態に係る制御テーブルＴを示す。本実施形態のリモコンシステム１は、第２の実施形態の構成と比べ、記憶部２２は、使用者ＩＤ情報及び部屋ＩＤ情報の組み合わせごとに、スイッチ部２７の操作内容別の操作頻度を制御テーブルＴにさらに記憶している点で異なる。
【００３６】
記憶部２２は、スイッチ部２７の過去の操作履歴、すなわち、スイッチＳＷ２７ａ、２７ｂ、２７ｃの過去の操作頻度を使用者ＩＤ情報及び部屋ＩＤ情報の組み合わせ別に制御テーブルＴに記憶している。例えば、記憶部２２は、使用者ＩＤ情報「Ｃ」及び「勉強部屋」を示す部屋ＩＤ情報の組み合わせにおいて、スイッチＳＷ２７ａが操作された頻度、すなわち「照明（器具）」１０ｃの「（調光制御のための）順送り」が実行された頻度が２回であることを制御テーブルＴに記憶している。
【００３７】
制御部２４は、制御テーブルＴに、スイッチＳＷ２７ａ、２７ｂ、２７ｃの操作頻度を記録する。さらに、制御部２４は、所定の期間が経過した後、制御テーブルＴにおいて、使用者ＩＤ情報及び部屋ＩＤ情報の組み合わせ別に、スイッチ部２７の操作に基づく実行頻度が高い制御内容を、部屋ＩＤ情報受信時に自動選択する制御内容に設定する。このようにして、部屋ＩＤ情報受信時に実行される制御内容が随時更新される。従って、受信部２３による部屋ＩＤ情報の受信時に、使用者ＩＤ情報と、部屋ＩＤ情報と、実行頻度の高さとの組み合わせに応じ、上記の受信をトリガとして制御部２４により制御内容が制御テーブルＴに設定されている制御内容の中から選択される。なお、上記の更新時には、自動選択用に設定されていた内容が、スイッチ部２７の操作に基づいて選択される制御内容に設定されてもよい。また、操作履歴を消去するによりこの履歴が初期化されても構わない。
【００３８】
ここで、例を挙げて制御部２４の動作について説明する。例えば、制御テーブルＴにおいて、使用者ＩＤ情報「Ｃ」及び「勉強部屋」を示す部屋ＩＤ情報の組み合わせに、スイッチＳＷ２７ａ、２７ｂ、２７ｃの操作に基づいて実行される制御内容として、「照明（器具）」１０ｃの「（調光制御のための）順送り」、「テレビ」１０ａの「（電源）ＯＮ／ＯＦＦ」及び「オーディオ」（不図示）の「（電源）ＯＮ・再生」が対応付けられているとする。また、これらの実行頻度が、それぞれ、２回、８回、４回であったとする。この場合、「テレビ」１０ａの「（電源）ＯＮ／ＯＦＦ」（破線枠で示す）の実行頻度が一番高いので、制御部２４は、この制御内容を、部屋ＩＤ情報受信時に自動選択する制御内容に設定する（破線矢印で示す）。また、制御部２４は、「テレビ」１０ａの「（電源）ＯＮ／ＯＦＦ」の代わりに、これまでは自動選択される制御内容であった「スタンド」（図示せず）の「（電源）ＯＮ／ＯＦＦ」（破線枠で示す）を、スイッチＳＷ２７ｂの操作に基づいて選択される制御内容に設定する。
【００３９】
本実施形態においても、第１及び第２の実施形態による効果を得ることができる。さらに、本実施形態においては、リモコン２が、操作頻度の高い操作内容に対応して設定されている制御内容を、送信装置３からの部屋ＩＤ情報の受信をトリガとして実行するので、使用者Ｕが操作を所望する電気機器１０やその動作が自動で制御される。このため、使用者Ｕの生活パターンの変動に応じて、使用者Ｕが使い易いようにリモコンシステム１を自動的に改良することができる。また、電気機器１０の遠隔制御時におけるリモコン２操作の手間を減らすことができる。
【００４０】
次に、本発明の第４の実施形態に係るリモコンシステムについて図９及び図１０を参照して説明する。図９及び図１０は、本実施形態に係るリモコンシステム１の構成を示す。このリモコンシステム１は、第３の実施形態の構成と比べ、リモコン２間の通信が可能な点で異なる。ここで、使用者Ｕ１が携帯するリモコン２をリモコン２Ａとし、使用者Ｕ２が携帯するリモコン２をリモコン２Ｂとする。
【００４１】
リモコン２Ｂの受信部２３は、リモコン２Ａの送信部２５が、例えば、テレビ１０ａ、エアコン１０ｂ及び照明器具１０ｃに制御信号を送信したとき、その制御信号を受信する。リモコン２Ｂの制御部２４は、この制御信号に基づき、リモコン２Ａにおいてスイッチ部２７の操作により選択された制御内容を認識する。また、リモコン２Ｂの制御部２４は、この制御内容と同じで、且つ、自身のスイッチ部２７の操作内容別に設定された制御内容の実行頻度をインクリメント記録する。この記録は、使用者ＩＤ情報及び部屋ＩＤ情報の組み合わせ別に実行される。リモコン２Ａは、リモコン２Ａの使用者Ｕの使用者ＩＤ情報と、リモコン２Ａが在る部屋の部屋ＩＤ情報とをリモコン２Ｂに通知するため、例えば、これらの情報を制御信号に重畳する。
【００４２】
本実施形態においても、第１及び第２の実施形態による効果、さらに、第３の実施形態が奏する、リモコン２の操作の手間を減らすことができる効果を得られる。また、本実施形態においては、第３の実施形態と比べ、リモコン２Ｂは、使用者Ｕ２による使用時に、他の使用者Ｕ１による他のリモコン２Ａの操作履歴を記憶するので、他の使用者Ｕ１による使用時に活用できる操作履歴がより多くなる。従って、リモコン２は、操作頻度の高い操作内容に対応して設定されている制御内容を実行するので、使用者Ｕの生活パターンの変動により合わせて、使用者Ｕがより使い易いようにリモコンシステム１を改良することができる。
【００４３】
なお、本発明は、上記第１乃至第４の実施形態の構成に限定されるものでなく、使用目的に応じ、様々な変形が可能である。例えば、リモコンシステム１は、住居に限定されず、オフィスビル等の他種の建物にも適用可能である。また、リモコン２により遠隔制御される電気機器１０の台数は１台であってもよい。また、送信装置３は、部屋別に限定されず、廊下等の位置別に設置され、その場所のＩＤ情報をリモコン２に送信し、リモコン２がこのＩＤ情報に応じて電気機器１０の制御内容を選択しても構わない。また、スイッチ部２７は、ボタンやタッチパネル等により構成されていてもよい。
【図面の簡単な説明】
【００４４】
【図１】本発明の第１の実施形態に係るリモコンシステムの構成図。
【図２】上記リモコンシステムの電気的構成図。
【図３】上記リモコンシステムにおけるリモートコントローラの記憶部に格納された制御テーブルを示す図。
【図４】上記リモートコントローラの変形例の電気的構成図。
【図５】上記制御テーブルの変形例を示す図
【図６】本発明の第２の実施形態に係るリモコンシステムにおけるリモートコントローラの電気的構成図。
【図７】上記リモートコントローラの記憶部に格納された制御テーブルを示す図。
【図８】本発明の第３の実施形態に係るリモコンシステムにおけるリモートコントローラの記憶部に格納された制御テーブルを示す図。
【図９】本発明の第４の実施形態に係るリモコンシステムの構成図。
【図１０】上記リモコンシステムの電気的構成図。
【符号の説明】
【００４５】
１  リモコンシステム
２、２Ａ、２Ｂ  リモートコントローラ
２１  情報生成部
２２  記憶部
２３  受信部
２４  制御部
２５  送信部
２６  計時部
２７  スイッチ部（操作部）
２７ａ、２７ｂ、２７ｃ  スイッチＳＷ
３  送信装置
３１  記憶部
３２  送信部
３３  人検知部
３４  制御部
１０  電気機器
Ｕ、Ｕ１、Ｕ２  使用者
【図１】
2008206089.tif 000003
【図２】
2008206089.tif 000004
【図３】
2008206089.tif 000005
【図４】
2008206089.tif 000006
【図５】
2008206089.tif 000007
【図６】
2008206089.tif 000008
【図７】
2008206089.tif 000009
【図８】
2008206089.tif 000010
【図９】
2008206089.tif 000011
【図１０】
2008206089.tif 000012